(57)【要約】【課題】鉛直軸周りに回動可能に本体支持された扉と、本体との間に配置された防水材による防水性を高める。【解決手段】電子機器１は、筐体本体２と、鉛直軸周りに回動可能に筐体本体２に支持された扉体３とを備える。筐体本体２は、扉体３側へ延出して、筐体本体２を閉じた扉体３の上面とその下面を向き合わせるＦＡＮユニット４を備える。ＦＡＮユニット４の下面には、防水材８が設けられている。防水材８は、ＦＡＮユニット４と扉体３との間の間隙８０に配置されて間隙８０を防水する。筐体本体２には補正金具２４が、扉体３には補正金具３４が設けられている。補正金具３４は、扉体３が筐体本体２を閉じた状態で補正金具２４に上側から乗り上げる。【選択図】図２
2010219081.tif 000002
【特許請求の範囲】
【請求項１】
鉛直軸周りに回動可能に本体に支持された扉体又は前記本体に設けられ、前記本体を閉じた前記扉体と前記本体との間隙に配置されて前記間隙を防水する防水材を備えた筐体における前記扉体の支持構造であって、
前記本体に設けられた支持部と、
前記扉体に設けられ、前記扉体が前記本体を閉じた状態で前記支持部に支持される被支持部とを備えることを特徴とする扉体の支持構造。
【発明の詳細な説明】
【技術分野】
【０００１】
本発明は、鉛直軸周りに回動可能に本体に扉体を支持し、本体を閉じた扉体と本体との上下方向の間隙を防水する防水材を備えた筐体における扉体の支持構造に関する。
【背景技術】
【０００２】
下記の特許文献１には、電子機器が備える筐体の防水構造が開示されている。筐体は、鉛直軸周りに回動可能に筐体本体に支持された扉で、筐体本体の開口部を開閉する。開口部の周囲には突条が形成され、扉の内面には突条に押圧されるシール材が設けられている。また、開口部の周囲の筐体本体には、扉の枠縁に押圧される外シール材が設けられている。扉が閉じられた状態では、突条がシール材に密着し、扉の枠縁が外シール材に密着することで、筐体本体と扉との間がシールされる。
【先行技術文献】
【特許文献】
【０００３】
【特許文献１】特開２００４−６３７８５号公報
【発明の概要】
【発明が解決しようとする課題】
【０００４】
上記防水構造では、鉛直軸周りに回動可能に支持された扉が、自重により回動端側を下側に傾け易いことから、扉に対する筐体本体の上下位置にばらつきが生じ、突条及び枠縁に対して各シール材を十分に密着させられず、十分なシール効果を得られない虞があった。
【０００５】
本発明は斯かる課題に鑑みてなされたもので、上記課題を解決できる扉体の支持構造を提供することを目的とする。
【課題を解決するための手段】
【０００６】
このような目的を達成するために、本発明の扉体の支持構造は、鉛直軸周りに回動可能に本体に支持された扉体又は前記本体に設けられ、前記本体を閉じた前記扉体と前記本体との間隙に配置されて前記間隙を防水する防水材を備えた筐体における前記扉体の支持構造であって、前記本体に設けられた支持部と、前記扉体に設けられ、前記扉体が前記本体を閉じた状態で前記支持部に支持される被支持部とを備えることを特徴とする。
【発明の効果】
【０００７】
本発明によれば、扉体が本体を閉じる際に、扉体に設けられた被支持部を、本体に設けられた支持部で支持することで、本体に対する扉体の上下位置のばらつきを抑え、扉体又は本体に対して防水材を確実に密着させて防水性を高めることができる。
【図面の簡単な説明】
【０００８】
【図１】本発明の一実施形態の電子機器を示す図であり、（ａ）は扉体を開いた状態での正面図，（ｂ）は閉じた状態での左側面図，（ｃ）はその底面図である。
【図２】図１に示す電子機器の前方からの斜視図であり、（ａ）は扉体を開いた状態，（ｂ）は閉じる状態を示している。
【図３】電子機器が備えるＦＡＮユニットへの防水材の取付状態を示す図であり、（ａ）は右側面図，（ｂ）は（ａ）のＡ矢視図である。
【図４】ＦＡＮユニットに取り付けられた防水材と扉体との配置関係を示す図である。
【発明を実施するための形態】
【０００９】
以下、図面を参照して、本発明の最良の形態について説明する。
図１は、本実施形態の電子機器１を示す図であり、（ａ）は扉体３を開いた状態での正面図，（ｂ）は閉じた状態での左側面図，（ｃ）はその底面図である。図２は、電子機器１の前方からの斜視図であり、（ａ）は扉体３を開いた状態，（ｂ）は閉じる直前の状態を示している。図３は、電子機器１が備えるＦＡＮユニット４への防水材８の取付状態を示す図であり、（ａ）は右側面図，（ｂ）は（ａ）のＡ矢視図である。図４は、ＦＡＮユニット４に取り付けられた防水材８と扉体３との配置関係を示す図である。なお、以下の説明で用いる上下，前後，及び左右の各方向は説明に用いる各図に示している。この上下，前後，及び左右は説明のために記載したもので、実際の配置と異なってよいことはもちろんである。
【００１０】
図１及び図２に示すように、電子機器１は、電子回路を収納する筐体本体２と、筐体本体２を開閉する扉体３と、筐体本体２の上面に搭載されて筐体本体２内を冷却するＦＡＮユニット４とを備えており、略四角箱状の外観形状を有している。
【００１１】
筐体本体２は、方形の後板の上下及び左右の４辺に側板を備えており、電子回路を搭載した回路基板が内部に収納される。筐体本体２の左板には、筐体本体２を閉じた扉体３を係止するロック部２２が取り付けられている。ロック部２２は、筐体本体２の左板の上下の端部の外面に取り付けられており、回転軸２２ａで係止部材２２ｂを回動自在に支持している。
【００１２】
扉体３は、方形の前板の上下及び左右の４辺に側板を備えており、筐体本体２の右板にヒンジ６で回動自在に支持されている。ヒンジ６は、筐体本体２の右板の上下の端部の外面に取り付けられている。扉体３の左面には、筐体本体２のロック部２２に係止される被係止部３３が設けられている。被係止部３３は、扉体３の左面の上下の端部に取り付けられており、係止部材２２ｂを収容する収容凹部３３ａを備えている。被係止部３３は、収容凹部３３ａに収容された係止部材２２ｂが先端に備える頭部に係止されて、扉体３の開方向への移動を規制する。扉体３の前面は、日よけ７で覆われている。日よけ７の上面の上縁からは、延長部７１が上方に延びている。
【００１３】
筐体本体２の左板の上下方向の中央部には、扉体３の左右方向での上下の傾きを補正する補正金具２４が取り付けられている。補正金具２４は、筐体本体２の左板の内面に取り付けられており、左板の前縁に位置している。図２（ｂ）の枠内に拡大して示すように、補正金具２４は、金属製の平板を略Ｕ字に折り曲げた概略形状を有しており、折り曲げられて互いに向き合った上辺部及び下辺部にはそれぞれ取付片２４ａが設けられている。各取付片２４ａは、補正金具２４の上辺部又は下辺部の左縁から左方に延出した舌片を上方又は下方に屈曲させて構成されており、補正金具２４を筐体本体２の左板にネジ止めするネジの挿通される貫通孔を備えている。上辺部と下辺部との間に位置する屈曲部には、傾斜面２４１が設けられている。傾斜面２４１は、屈曲部の上辺部側に位置しており、後側から前側にかけて下降傾斜している。
【００１４】
扉体３の内面の上下方向の中央部には、補正金具２４とで扉体３の左右方向での上下の傾きを補正する補正金具３４が取り付けられている。補正金具３４は、扉体３の内面の左縁に位置している。図２（ｂ）の枠内に拡大して示すように、補正金具３４は、金属製の平板を略Ｕ字に折り曲げた概略形状を有しており、折り曲げられて互いに向き合った上辺部及び下辺部にはそれぞれ取付片３４ａが設けられている。各取付片３４ａは、補正金具３４の上辺部又は下辺部の前縁部を上方又は下方に屈曲させて構成されており、補正金具３４を扉体３の内面にネジ止めするネジの挿通される貫通孔を備えている。上辺部と下辺部との間に位置する屈曲部には、傾斜面３４１が設けられている。傾斜面３４１は、屈曲部の下辺部側に位置しており、前側から後側にかけて上昇傾斜している。
【００１５】
ＦＡＮユニット４は、略四角箱状の外観形状を有しており、図３（ａ）に拡大して示すように、前後方向の中央部の下縁に段差部４ａを備えている。ＦＡＮユニット４は、段差部４ａの後側よりも低背に形成された前側に扉体３の上端部を収容する。段差部４ａよりも前側のＦＡＮユニット４の下面には、防水材８が取り付けられている。防水材８は、図３（ｂ）に示すように、略コの字の底面形状を有しており、ＦＡＮユニット４の左縁から右縁にかけての下面を覆っている。図４（ａ）に示すように、扉体３及び日よけ７の上面とＦＡＮユニット４の下面との間には間隙８０が形成されており、防水材８は、この間隙８０よりもやや肉厚を有した緩衝材から形成されている。ＦＡＮユニット４の下面に配置された防水材８は、間隙８０に位置して扉体３及び日よけ７とＦＡＮユニット４との間を防水する。
【００１６】
図２（ａ）に示すように筐体本体２を開けた扉体３を、図２（ａ）に矢印で示すように回動させると、図２（ｂ）に示すように筐体本体２の補正金具２４と扉体３の補正金具３４とが向き合って互いに近づき、補正金具２４に補正金具３４が乗り上げ、補助金具３４が補助金具２４に支持される。扉体３の自重や筐体本体２又は扉体３のヒンジ６への組付具合等の影響により、扉体３が右端側から左端側にかけて下降傾斜していると、補正金具３４の取付片３４ａが補正金具２４の取付片２４ａに当接して補正金具２４の上面に乗り上げ、補助金具３４が補助金具２４に支持される。このようにして、筐体本体２を閉じた扉体３が、筐体本体２に対する上下位置を位置決めされる。
【００１７】
本実施形態によれば、扉体３が筐体本体２を閉じる際に、扉体３に設けられた補正金具３４を、筐体本体２に設けられた補正金具２４で支持することで、筐体本体２に対する扉体３の上下位置のばらつきを抑え、扉体３に対して防水材８を確実に密着させて防水性を高めることができる。
【００１８】
また、本実施形態によれば、雨が降る等して電子機器１にかかった水が、日よけ７の延長部７１とＦＡＮユニット４との間から、ＦＡＮユニット４と日よけ７との間に流れ込んで溜まり、間隙８０に溜まった水が扉体３を開くときに扉体３の内面や筐体本体２内に入り込むのを防止できる。特に、筐体本体２の備えるＦＡＮユニット４の下面と扉体３の上面との間に設けられた間隙８０を防水材８で防水する電子機器１では、筐体本体２に対する扉体３の上下位置のばらつきを抑えることで、防水性を効果的に高められる。
【００１９】
また、本実施形態によれば、日よけ７の延長部７１とＦＡＮユニット４との間に僅かに存在する隙間に水が溜まっても、溜まった水が扉体３を開くときに日よけ７に付着して、ＦＡＮユニット４から離れる方向に引き寄せられるため、扉体３の内面や筐体本体２内への水の浸入を効果的に防止できる。
【００２０】
なお、上記実施形態では、筐体本体２の左板の内面に補正金具２４が、扉体３の内面に補正金具３４がそれぞれ取り付けられている場合について説明した。しかしながら、補正金具２４が筐体本体２に、補正金具３４が扉体３にそれぞれ備えられ、扉体３が筐体本体２を閉じた際に補正金具３４が補正金具２４に乗り上げるのであれば、その配設位置は任意である。例えば、筐体本体２の下板に補正金具２４が取り付けられていてもよい。また、補正金具３４が扉体３の左側面に取り付けられていてもよい。
【００２１】
また、筐体本体２と扉体３との上下方向の隙間に配置されてその隙間を防水する防水材８を備えているのであれば、防水材８の取付位置は任意である。例えば、上記実施形態では、防水材８がＦＡＮユニット４の下面に取り付けられている場合について説明したが、扉体３の上面に取り付けられている場合にも本発明は適用できる。
【００２２】
また、筐体本体２の下板の外面又は内面と扉体３の下板の内面又は外面との隙間を防水する防水材８を備える構成としてもよい。この場合も、筐体本体２と扉体３との何れに防水材８が備えられていてもよい。また、上記実施形態では、支持部及び被支持部として金具を用いた場合について説明したが、支持部及び被支持部の材質は任意である。
【００２３】
以上、本発明の実施形態について説明したが、本発明の実施態様としては、以下のものを挙げることができる。
実施態様１の扉体の支持構造は、鉛直軸周りに回動可能に本体に支持された扉体又は前記本体に設けられ、前記本体を閉じた前記扉体と前記本体との間隙に配置されて前記間隙を防水する防水材を備えた筐体における前記扉体の支持構造であって、前記本体に設けられた支持部と、前記扉体に設けられ、前記扉体が前記本体を閉じた状態で前記支持部に支持される被支持部とを備えることを特徴とする。
また、実施態様２の扉体の支持構造は、実施態様電子機器１において、前記支持部の前記扉体側の端部には、前記本体側から前記扉体側にかけて下降傾斜する下降傾斜面が備えられ、前記被支持部の前記本体側の端部には、前記扉体側から前記本体側にかけて上昇傾斜して、前記下降傾斜面に案内される上昇傾斜面が備えられていることを特徴とする。
また、実施態様３の筐体は、本体と、鉛直軸周りに回動可能に本体に支持された扉体と、前記本体又は前記扉体に設けられ、前記本体を閉じた前記扉体と前記本体との上下方向の間隙に配置されて前記間隙を防水する防水材とを備えた筐体であって、上記扉体の支持構造で前記本体を閉じた前記扉体を支持することを特徴とする。
また、実施態様４の筐体は、実施態様３において、前記本体が、前記扉体側へ延出して前記本体を閉じた前記蓋体の上面とその下面を向き合わせる延出部を備え、前記防水材が、前記延出部の下面又は前記扉体の上面に設けられて、前記延出部と前記扉体との上下方向の間隙に配置されて前記扉体と前記延出部との間を防水することを特徴とする。
【符号の説明】
【００２４】
１      電子機器
２      筐体本体
３      扉体
４      ＦＡＮユニット
６      ヒンジ
７      日よけ
２４    補正金具（支持部）
２４１  傾斜面
３４    補正金具（被支持部）
３４１  傾斜面
４      ＦＡＮユニット
４ａ    段差部
８      防水材
８０    間隙
【図１】
2010219081.tif 000003
【図２】
2010219081.tif 000004
【図３】
2010219081.tif 000005
【図４】
2010219081.tif 000006